【事件の表示】
　特願２００１−２９９７８１「インクジェット式記録ヘッドおよびインクジェット式記録装置」拒絶査定不服審判事件〔平成１４年　９月　３日出願公開、特開２００２−２４８７６５〕について、次のとおり審決する。
【結　論】
　本件審判の請求は、成り立たない。
【理　由】
第１　手続の経緯
　
　本願は、平成１３年９月２８日（優先権主張　平成１２年１２月１９日）の出願であって、平成１５年９月１２日付けで拒絶査定がなされ、これに対し、同年１０月２４日付けで拒絶査定に対する審判請求がなされるとともに、同年１１月２１日付けで明細書についての手続補正（以下「本件補正」という。）がなされたものである。
　
第２　補正の却下の決定
　
［補正の却下の決定の結論］
　平成１５年１１月２１日付けの手続補正を却下する。
　
［理由］
　
１．本件補正について
　
　本件補正は、特許請求の範囲の請求項１及び３を、それぞれ、
　
【請求項１】
「インク滴を吐出するための複数のノズルと、前記各ノズルに連通して個々に配設され壁面の少なくとも一面が振動板として形成された圧力室と、前記振動板にそれぞれ接合されたアクチュエータと、前記圧力室に供給路を介してインクを供給するインク供給源とを備え、
　前記アクチュエータが、前記圧力室に相当する領域に配設され、
前記圧力室に相当する領域よりも小さく、
　前記圧力室のアスペクト比が略１に等しい平面形状を有しており、且つ、前記ブリッジ部は、前記駆動部への接続領域部における幅寸法が、前記駆動部の接続辺部の幅寸法よりも小さいことを特徴とするインクジェット式記録ヘッド。」
【請求項３】
「前記圧力室の平面形状が略正多角形であ
り、前記駆動部の幅が前記電極パッド部の幅と略等しいことを特徴とする
　
と補正するとともに、補正前の請求項９を削除し、それに伴い、補正前の請求項１０乃至３０を一項ずつ繰り上げ、引用する請求項を符合させるものである。
　
　上記請求項１及び３の補正は、補正前の請求項１に記載した発明特定事項である「駆動部」について「
前記圧力室に相当する領域よりも小さく
前記駆動部の幅が前記電極パッド部の幅と略等しい
　また、補正前の請求項９を削除する補正は、特許法第１７条の２第４項第１号の請求項の削除を目的とするものに該当し、補正前の請求項１０乃至３０についての補正は、同項第４号の明りようでない記載の釈明を目的とするものに該当する。
　
　そこで、本件補正後の請求項１及び３に係る発明（以下、順に「本願補正発明１」、「本願補正発明２」という。）が特許出願の際独立して特許を受けることができるものであるか（平成１５年改正前特許法第１７条の２第５項において準用する同法第１２６条第４項の規定に適合するか）について以下に検討する。
　
２．本願補正発明２について
　
　本願補正発明２は「前記圧力室の平面形状が略正多角形であ
り、前記駆動部の幅が前記電極パッド部の幅と略等しい
　当初明細書には、「電極パッド部」について、「電極パッド部７は、圧力室の側壁に相当する領域に配設され、駆動信号源との電気接続を行う部分である。」（段落【００３６】）、「電極パッド部の大きさは、使用時の電気接続に必要な面積として決定される。」（段落【００３８】）と説明される程度であり、図２、図１１、図１２等に、電極パッド部７の平面形状が、「長方形」の例が示されているが、このような「長方形」の電極パット部において、その「幅」がどのように規定されるのか不明瞭である。
　したがって、本願補正発明２の「前記圧力室の平面形状が略正多角形であ
り、前記駆動部の幅が前記電極パッド部の幅と略等しい
　
３．本願補正発明１について
　
３−１　引用刊行物に記載された発明
　
（１）　原査定の拒絶の理由に引用され、本願の優先日前である昭和６０年７月１８日に頒布された「特開昭６０−１３５２６２号公報」（以下「引用例」という。）には、次の事項が図面と共に記載されている。
　
１）引用例の記載事項
　
ア．特許請求の範囲
「平坦な側でノズルに連通すると共に、対向する側で別個の圧力室に連通し、インク供給装置に連結され、数個のインクダクトが延在する平板状の本体を具え、さらに、全ての圧力室に共通なダイヤフラム板と、ダイヤフラム板に連結されると共に各圧力室の領域にエンボス部分を有しそのエンボス部分が電気的な接続手段を設けた薄膜状電極を担持する一体に形成した圧電セラミック板を具えるインクジェット式プリントヘッドにおいて、前記圧電セラミック板(10)のエンボス部分(12)は、前記圧力室(18)の領域を少なくともある程度越えて延在し、前記電気的な接続手段(14)は、前記圧力室の領域の外側で前記電極(13)に接続することを特徴とするインクジェット式プリントヘッド。」
　
イ．３頁右下欄１０〜２０行
「ダイヤフラム板9は、例えばニッケル層のような導電金属層から成り、この層を圧電セラミック板10の下面に電気めっきにより形成する。このダイヤフラム板9及び圧電セラミック板10の積層板に開口11を設け、インク供給管8を通過したインクがこの開口を通りインクジェット式プリントヘッドのインク供給装置に流入するようにする。
　圧電セラミック板10はマトリックス状即ち行及び列状に配設した個別のエンボス部分12を有する。」
　
ウ．４頁左上欄７行〜同右上欄３行
「エンボス部分12に薄膜電極13を形成し、金属製ダイヤフラム層9と関連するこの電極13により、各圧電セラミック・エンボス部分12に電界を作用させることができる。この目的のため、電極層13を接続細線14に接続して電極層13と圧電セラミック・エンボス部分（他のエンボス部分16）に配設した別の電極層15との間の電気的な接続を行なう。これら他のエンボス部分16は、あたかも別の電極層15に対する支持部として作用し、この電極層15からプラスのコンタクトピン7まで電気的な接続リード線17を延在させる。
　圧電セラミック・エンボス部分12が、本体19に設けられ板9，10の積層板が載置される圧力室18上に正確に位置するよう圧電セラミック・エンボス部分12を圧電セラミック板10上に配設する。」
　
エ．４頁右上欄４行〜同左下欄４行
「圧力室18は円錐形状とし、例えば本体19の平面に垂直に延在させる。これら圧力室18は本体19の平面内では円断面をしている。ダイアフラム板9と対向する側でこの円断面を、正方形のエンボス部分12の側辺の長さと同寸法にして、エンボス部分12が完全に圧力室18を被うようにする。
　接続細線14がエンボス部分12の共振特性に容認できないほど不利に作用するのを避けるため、これら接続細線をエンボス部分12の角部分において関連する電極層13に電気的に接続する。従って、接続細線14はエンボス部分の圧力室18上にない範囲の電極層13とだけ接続される。このように構成され、接続されたエンボス部分12は、その共振特性に関連して、圧力室18の断面に完全に適合させたエンボス部分、即ち円形のエンボス部分と実際に正確に同様な挙動を示す。しかし、所定の寸法から離れてこれら円形エンボス部分は、別な手段を設けることなく接続細線に接続させることはできない。なぜなら接続細線が共振特性に不利な影響を与えるからである。」
　
オ．４頁左下欄５〜７行
「本体19に設けられた圧力室18は個別のインク供給ダクト20,21から成るインク供給装置に互いに結合されている。」　　
　
カ．４頁右下欄６〜９行
「第2ａ図から明らかなように、接続細線14を、圧力室18及びノズル23を形成するプリントダクトの側の電極13の領域に例えば、はんだ付け或いはボンディングにより設ける。」
　
キ．４頁右下欄１６行〜５頁左上欄１行
「第2ｂ図において、接続細線14は一見すると、ノズルダクト上に配置されている。しかし、本例において実際には圧力室18の近傍に位置する。それは圧電セラミック・エンボス部分12が正方形の断面を有しており、圧力室18は円形断面を有しているからである。」
　
ク．５頁左上欄８〜１５行
「電圧を電極層13及び導電ダイヤフラム板9を介して圧電セラミック・エンボス部分12に印加すると、圧力発生器として作動するエンボス部分12に共振が生じ、この共振振動はダイヤフラム板9を介して圧力室18の内部のインク液に伝えられる。これら共振振動は、インク液を圧力室18からノズル23及び隣接するノズル端24を介して噴射させる。」
　
ケ．５頁右上欄１６行〜同左下欄１５行
「第3ａ乃至3ｃ図には圧電セラミック板10の圧電セラミック・エンボス部分の幾つかの実施例を示す。第3ａ図は、すでに開示した正方形状のエンボス部分12を示し、円形断面の圧力室18上に配設する。この円形断面の直径は正方形エンボス部分12の一辺に一致する。また接続細線14は、圧力室18の外側領域でエンボス部分12に設けた薄膜状電極に接続する。
　第3ｂ図はひし形の圧電セラミック・エンボス部分12ａを示し、このエンボス部分12ａもまた円形断面の圧力室18ａ上に配置し、圧力室を完全に被っている。また接続細線14は、エンボス部分12ａに設けられ、且つ、互いに鋭角をなして延在するエンボス部分12ａの2辺により限られた電極に、圧力室18ａの外側領域で接続する。
　第3ｃ図は、適用可能な円形の圧電セラミック・エンボス部分12ｂを示し、その直径はエンボス部分の下に配置される圧力室18ｂの直径に対応しており、接続細線14ｂを接続するための付加的な継目板12ｃを具える。」
　
コ．Fig.1より、ノズルが複数あり、各ノズルにそれぞれ圧力室が連通していることが看取できる。
　
２）引用発明の認定
　
　上記ウ、エの記載より、圧力室は、少なくとも一面にダイヤフラム板９が配設されているといえる。
　上記エの記載より、圧力室18のアスペクト比が略１に等しい平面形状を有しているといえる。
　上記クの記載より、圧電セラミック・エンボス部分12は、ダイヤフラム板9とともにたわみ変形するものといえる。
　
　してみれば、以上の記載を含む引用例１には、次の発明（以下「引用発明」という。）が記載されているものと認める。
　
「インク液を噴射させるための複数のノズル23と、前記各ノズル23に連通して個々に配設され、少なくとも一面にダイヤフラム板9が配設された圧力室18と、前記圧力室18にインク供給ダクト20,21を介してインクを供給するインク供給装置を備え、
　前記ダイヤフラム板9とともにたわみ変形する圧電セラミック・エンボス部分12と、前記圧電セラミック・エンボス部分12に電極層13を備えるインクジェット式プリントヘッドであって、
　前記圧力室18のアスペクト比が略１に等しい平面形状を有し、
　電気的な接続手段14は、前記圧力室の領域の外側で前記電極層13に接続するインクジェット式プリントヘッド。」
　
３−２　本願補正発明と引用発明との対比
　
　本願補正発明と引用発明とを対比する。
　
　引用発明の「インク液を噴射させるための複数のノズル23」、「ダイヤフラム板9」、「圧力室18」、「インク供給ダクト20,21」、「インク供給装置」、「インクジェット式プリントヘッド」が、それぞれ、本願補正発明の「インク滴を吐出するための複数のノズル」、「振動板」、「圧力室」、「供給路」、「インク供給源」、「インクジェット式記録ヘッド」に相当する。
　
　引用発明の電極層13を備える圧電セラミック・エンボス部分12は、本願補正発明の「駆動部」に相当することは明らかである。
　
　引用発明の圧力室18は「少なくとも一面にダイヤフラム板9が配設された」ものであるから、「壁面の少なくとも一面が振動板として形成された」ものであることは明らかである。
　
　引用発明の「圧電セラミック・エンボス部分12」がたわみ変形するのは、駆動信号が印加される時であることは自明である。
　
　したがって、両者は、
「インク滴を吐出するための複数のノズルと、前記各ノズルに連通して個々に配設され壁面の少なくとも一面が振動板として形成された圧力室と、前記圧力室に供給路を介してインクを供給するインク供給源とを備え、
　駆動信号印加時に前記振動板とともにたわみ変形する駆動部を備えるインクジェット式記録ヘッドであって、
　前記圧力室のアスペクト比が略１に等しい平面形状を有しているインクジェット式記録ヘッド。」
である点で一致し、次の点で相違するものと認める。
　
［相違点］
本願補正発明では、「前記アクチュエータが、前記圧力室に相当する領域に配設され、前記圧力室に相当する領域よりも小さく、駆動信号印加時に前記振動板とともにたわみ変形する駆動部と、前記圧力室の側壁に相当する領域に配設され、駆動信号源との電気接続を行う電極パッド部と、前記駆動部と前記電極パッド部を接続するブリッジ部とにより構成されてなる」ものであり、該アクチュエータが「振動板にそれぞれ接合された」ものと特定されているとともに、「前記ブリッジ部は、前記駆動部への接続領域部における幅寸法が、前記駆動部の接続辺部の幅寸法よりも小さい」とされているのに対し、引用発明ではそのような特定がない点。
　
３−３　相違点の判断
　
　上記相違点について検討する。
　
（１）　最初に、相違点における「前記圧力室に相当する領域に配設され、前記圧力室に相当する領域よりも小さく、駆動信号印加時に前記振動板とともにたわみ変形する駆動部」の点について検討する。
　
　引用発明の駆動部（電極層13を備える圧電セラミック・エンボス部分12）は、「圧力室18は本体19の平面内では円断面をしている。ダイアフラム板9と対向する側でこの円断面を、正方形のエンボス部分12の側辺の長さと同寸法にして、エンボス部分12が完全に圧力室18を被うようにする。」（上記摘記エ参照）とされていることから、「圧力室に相当する領域に配設され」ているものということができ、また、駆動信号印加時に振動板とともにたわみ変形するものであるから、引用発明の駆動部は、「圧力室に相当する領域に配設され、駆動信号印加時に振動板とともにたわみ変形する」ものである。
　そして、インクジェット式記録ヘッドにおいて、振動板とともにたわみ変形する駆動部を圧力室に相当する領域よりも小さく形成することは、本願出願前に周知の技術であるから（特開平７−３２９２９５号公報の３頁左欄１８〜２１行、特開昭５９−１６４１５０号公報の２頁左上欄８〜末行参照）、引用発明の駆動部に前記周知技術を採用して、「圧力室に相当する領域に配設され、前記圧力室に相当する領域よりも小さく、駆動信号印加時に振動板とともにたわみ変形する駆動部」という構成を想到することは、当業者が容易に為し得ることである。
　
（２）　次に、「前記圧力室の側壁に相当する領域に配設され、駆動信号源との電気接続を行う電極パッド部と、前記駆動部と前記電極パッド部を接続するブリッジ部」の点について検討する。
　
　ここで、先ず、本願補正発明における「電極パッド部」及び「ブリッジ部」について、それ自体の用語の意味を確認する。
　本願補正発明における「電極パッド部」は、「駆動信号源との電気接続を行う電極パッド部」と記載されているから、「駆動信号源からの電気配線が接続される部分」を指すのであって、これは、発明の詳細な説明における「電極パッド部７は、圧力室の側壁に相当する領域に配設され、駆動信号源との電気接続を行う部分である。」（段落【００３６】）との説明とも合致する。
　また、本願補正発明における「ブリッジ部」は、「駆動部と電極パッド部を接続するブリッジ部」と記載されているから、「駆動部と電極パッド部とをつなげている部分」を指すものと解される。
　
　これらを踏まえて、さらに検討するに、引用発明は、「電気的な接続手段14は、前記圧力室の領域の外側で前記電極層13に接続」されているものであり、この「電気的な接続手段14」は、駆動信号源からの駆動信号が伝達される電気配線にほかならないから、引用発明においても、圧力室の側壁に相当する領域に、駆動信号源からの電気配線が接続される部分、すなわち「電極パッド部」が存在するものと理解できる。
　この点、上記摘記エをみると、摘記エにおいて記載されているのは、圧電セラミック・エンボス部分を「正方形」としたものであって、この正方形のエンボス部分が駆動部と電極パッド部とを一体として構成しているから、本願補正発明の如く「駆動部」と「電極パッド部」とを別々に特定したものとは、一見すると相違するが、上記摘記クには、「正方形状のエンボス部分12」と並んで、エンボス部分を「円形のエンボス部分12b」とする実施例が記載されており、接続細線14bを接続するための「付加的な継目板12c」を具えることが記載されている。
　そして、前記「円形のエンボス部分12b」が本願補正発明の「駆動部」に相当し、その部分以外の圧力室の側壁に相当する領域に「付加的な継目板12c」が「駆動部」とは別の存在として把握し得るものであって、この「付加的な継目板12c」に、接続細線14bが接続される「電極パッド部」が存在することは自明であるから、引用発明においても「駆動部」と「電極パッド部」の存在は認識し得るものである。
　また、上記「付加的な継目板12c」には、接続細線14bが接続される「電極パッド部」と、接続細線14bが接続されない部分が存在することは自明であって、接続細線14bが接続されない部分には、前記円形のエンボス部分12bとつながる部分が当然に存在する。
　本願補正発明における「ブリッジ部」は「駆動部と電極パッド部とをつなげている部分」なのであるから、上記「付加的な継目板12c」における接続細線14bが接続されない部分であって、前記円形のエンボス部分12bとつながる部分は、本願補正発明の「ブリッジ部」に相当するものである。
　
　したがって、引用発明においても、「前記圧力室の側壁に相当する領域に配設され、駆動信号源との電気接続を行う電極パッド部と、前記駆動部と前記電極パッド部を接続するブリッジ部」が把握し得るものである。
　
（３）　さらに、「前記ブリッジ部は、前記駆動部への接続領域部における幅寸法が、前記駆動部の接続辺部の幅寸法よりも小さい」点について検討する。
　
　本願補正発明における「駆動部への接続領域部における幅寸法」については、発明の詳細な説明に「駆動部が略円形のアクチュエータを用いたものでは、円形駆動部の直径を前記駆動部の接続領域部の幅寸法とみなすものとする。」（段落【００５１】）と定義付けされており、そうすると、引用発明の実施例である第3c図に示されるブリッジ部（接続細線14bが接続されない部分であって、前記円形のエンボス部分12bとつながる部分）が、「前記駆動部への接続領域部における幅寸法が、前記駆動部の接続辺部の幅寸法よりも小さい」という構成を備えるものに相当することは明らかである。
　
　よって、「前記ブリッジ部は、前記駆動部への接続領域部における幅寸法が、前記駆動部の接続辺部の幅寸法よりも小さい」点は引用例に記載された事項にすぎない。
　
（４）　最後に、相違点全体について検討する。
　
　上記（１）〜（３）で検討したとおり、本願補正発明の「駆動部」、「電極パッド部」及び「ブリッジ部」は、いずれも当業者が容易に想到し得るものであるか、引用例から導ける事項であって、それらの組み合わせた構成も当然に当業者が容易に想到し得ることである。
　そして、本願補正発明では、上記（１）〜（３）において検討した「駆動部」、「電極パッド部」及び「ブリッジ部」とにより、「アクチュエータ」が構成されるとされているが、インクジェット式記録ヘッドにおいて、「駆動部」、「電極パッド部」及び「ブリッジ部」をまとめて「アクチュエータ」と捉えるか、それぞれを別個の存在として捉えるかは、それら構成による作用に何ら差異が無い以上、単なる表現上の問題にすぎず、この点は実質的な相違点にならない。そして、「駆動部」、「電極パッド部」及び「ブリッジ部」とにより「アクチュエータ」が構成されるとすれば、引用発明においても、該「アクチュエータ」が「振動板にそれぞれ接合された」ものとなるのは当然の結果である。
　したがって、相違点に係る本願補正発明を構成することは、当業者にとって想到容易である。
　そして、相違点に係る構成を採用したことにより、格別顕著な作用効果が奏されるとも認められない。
　
３−４　まとめ　
　
　以上のとおり、本願補正発明は、引用発明及び周知技術に基づいて当業者が容易に発明をすることができたものであるから、特許法第２９条第２項の規定により特許出願の際独立して特許を受けることができない。
　
［補正の却下の決定のむすび］
　
　本件補正は、平成１５年改正前特許法第１７条の２第５項において準用する同法第１２６条第４項の規定に違反するので、同法第１５９条第１項の規定において読み替えて準用する同法第５３条第１項の規定により却下すべきものである。
　よって、補正の却下の結論のとおり決定する。
　
第３　本件審判請求についての当審の判断
　
１．本願発明について
　
　本件補正が却下されたから、本願の請求項１に係る発明（以下「本願発明」という。）は、本件出願時の明細書の特許請求の範囲の請求項１に記載された次のとおりのものと認める。
　
「インク滴を吐出するための複数のノズルと、前記各ノズルに連通して個々に配設され壁面の少なくとも一面が振動板として形成された圧力室と、前記振動板にそれぞれ接合されたアクチュエータと、前記圧力室に供給路を介してインクを供給するインク供給源とを備え、
　前記アクチュエータが、前記圧力室に相当する領域に配設されて駆動信号印加時に前記振動板とともにたわみ変形する駆動部と、前記圧力室の側壁に相当する領域に配設され、駆動信号源との電気接続を行う電極パッド部と、前記駆動部と前記電極パッド部を接続するブリッジ部とにより構成されてなるインクジェット式記録ヘッドであって、
　前記圧力室のアスペクト比が略１に等しい平面形状を有しており、且つ、前記ブリッジ部は、前記駆動部への接続領域部における幅寸法が、前記駆動部の接続辺部の幅寸法よりも小さいことを特徴とするインクジェット式記録ヘッド。」
　
２．引用発明の認定
　
　原査定の拒絶の理由に引用された刊行物、その記載事項及び引用発明は、前記第２の３−１に記載したとおりである。
　
３．本願発明と引用発明との対比
　
　本願発明は、前記第２で検討した本願補正発明から、「駆動部」に係る限定事項である「
前記圧力室に相当する領域よりも小さく
　そうすると、本願発明と引用発明とは、前記第２の３−２で検討したことからみて、
「インク滴を吐出するための複数のノズルと、前記各ノズルに連通して個々に配設され壁面の少なくとも一面が振動板として形成された圧力室と、前記圧力室に供給路を介してインクを供給するインク供給源とを備え、
　駆動信号印加時に前記振動板とともにたわみ変形する駆動部を備えるインクジェット式記録ヘッドであって、
　前記圧力室のアスペクト比が略１に等しい平面形状を有しているインクジェット式記録ヘッド。」
である点で一致し、次の点で一応相違するものと認める。
　
［相違点］
本願発明では、「前記アクチュエータが、前記圧力室に相当する領域に配設されて駆動信号印加時に前記振動板とともにたわみ変形する駆動部と、前記圧力室の側壁に相当する領域に配設され、駆動信号源との電気接続を行う電極パッド部と、前記駆動部と前記電極パッド部を接続するブリッジ部とにより構成されてなる」ものであり、該アクチュエータが「振動板にそれぞれ接合された」ものと特定されているとともに、「前記ブリッジ部は、前記駆動部への接続領域部における幅寸法が、前記駆動部の接続辺部の幅寸法よりも小さい」とされているのに対し、引用発明ではそのような特定がない点。
　
４．相違点の判断
　
　上記相違点について検討する。
　
（１）　最初に、相違点における「前記圧力室に相当する領域に配設されて駆動信号印加時に前記振動板とともにたわみ変形する駆動部」の点について検討する。
　
　引用発明の駆動部（電極層13を備える圧電セラミック・エンボス部分12）は、「圧力室18は本体19の平面内では円断面をしている。ダイアフラム板9と対向する側でこの円断面を、正方形のエンボス部分12の側辺の長さと同寸法にして、エンボス部分12が完全に圧力室18を被うようにする。」（上記摘記エ参照）とされていることから、「圧力室に相当する領域に配設されて」いるものということができ、また、駆動信号印加時に振動板とともにたわみ変形するものであるから、引用発明の駆動部は、「圧力室に相当する領域に配設されて駆動信号印加時に振動板とともにたわみ変形する」ものである。
　
（２）　次に、「前記圧力室の側壁に相当する領域に配設され、駆動信号源との電気接続を行う電極パッド部と、前記駆動部と前記電極パッド部を接続するブリッジ部」の点について検討する。
　
　ここで、先ず、本願発明における「電極パッド部」及び「ブリッジ部」について、それ自体の用語の意味を確認する。
　本願発明における「電極パッド部」は、「駆動信号源との電気接続を行う電極パッド部」と記載されているから、「駆動信号源からの電気配線が接続される部分」を指すのであって、これは、発明の詳細な説明における「電極パッド部７は、圧力室の側壁に相当する領域に配設され、駆動信号源との電気接続を行う部分である。」（段落【００３６】）との説明とも合致する。
　また、本願発明における「ブリッジ部」は、「駆動部と電極パッド部を接続するブリッジ部」と記載されているから、「駆動部と電極パッド部とをつなげている部分」を指すものと解される。
　
　これらを踏まえて、さらに検討するに、引用発明は、「電気的な接続手段14は、前記圧力室の領域の外側で前記電極層13に接続」されているものであり、この「電気的な接続手段14」は、駆動信号源からの駆動信号が伝達される電気配線にほかならないから、引用発明においても、圧力室の側壁に相当する領域に、駆動信号源からの電気配線が接続される部分、すなわち「電極パッド部」が存在するものと理解できる。
　この点、上記摘記エをみると、摘記エにおいて記載されているのは、圧電セラミック・エンボス部分を「正方形」としたものであって、この正方形のエンボス部分が駆動部と電極パッド部とを一体として構成しているから、本願発明の如く「駆動部」と「電極パッド部」とを別々に特定したものとは、一見すると相違するが、上記摘記クには、「正方形状のエンボス部分12」と並んで、エンボス部分を「円形のエンボス部分12b」とする実施例が記載されており、接続細線14bを接続するための「付加的な継目板12c」を具えることが記載されている。
　そして、前記「円形のエンボス部分12b」が本願発明の「駆動部」に相当し、その部分以外の圧力室の側壁に相当する領域に「付加的な継目板12c」が「駆動部」とは別の存在として把握し得るものであって、この「付加的な継目板12c」に、接続細線14bが接続される「電極パッド部」が存在することは自明であるから、引用発明においても「駆動部」と「電極パッド部」の存在は認識し得るものである。
　また、上記「付加的な継目板12c」には、接続細線14bが接続される「電極パッド部」と、接続細線14bが接続されない部分が存在することは自明であって、接続細線14bが接続されない部分には、前記円形のエンボス部分12bとつながる部分が当然に存在する。
　本願発明における「ブリッジ部」は「駆動部と電極パッド部とをつなげている部分」なのであるから、上記「付加的な継目板12c」における接続細線14bが接続されない部分であって、前記円形のエンボス部分12bとつながる部分は、本願発明の「ブリッジ部」に相当するものである。
　
　したがって、引用発明においても、「前記圧力室の側壁に相当する領域に配設され、駆動信号源との電気接続を行う電極パッド部と、前記駆動部と前記電極パッド部を接続するブリッジ部」が把握し得るものである。
　
（３）　さらに、「前記ブリッジ部は、前記駆動部への接続領域部における幅寸法が、前記駆動部の接続辺部の幅寸法よりも小さい」点について検討する。
　
　本願発明における「駆動部への接続領域部における幅寸法」については、発明の詳細な説明に「駆動部が略円形のアクチュエータを用いたものでは、円形駆動部の直径を前記駆動部の接続領域部の幅寸法とみなすものとする。」（段落【００５１】）と定義付けされており、そうすると、引用発明の実施例である第3c図に示されるブリッジ部（接続細線14bが接続されない部分であって、前記円形のエンボス部分12bとつながる部分）が、「前記駆動部への接続領域部における幅寸法が、前記駆動部の接続辺部の幅寸法よりも小さい」という構成を備えるものに相当することは明らかである。
　
　よって、「前記ブリッジ部は、前記駆動部への接続領域部における幅寸法が、前記駆動部の接続辺部の幅寸法よりも小さい」点は引用例に記載された事項にすぎない。
　
（４）　最後に、相違点全体について検討する。
　
　上記（１）〜（３）で検討したとおり、本願発明の「駆動部」、「電極パッド部」及び「ブリッジ部」は、いずれも引用例から導ける事項であって、それらを組み合わせた構成も当然に引用例に記載されたに等しい事項である。
　そして、本願発明では、上記（１）〜（３）において検討した「駆動部」、「電極パッド部」及び「ブリッジ部」とにより、「アクチュエータ」が構成されるとされているが、インクジェット式記録ヘッドにおいて、「駆動部」、「電極パッド部」及び「ブリッジ部」をまとめて「アクチュエータ」と捉えるか、それぞれを別個の存在として捉えるかは、それら構成による作用に何ら差異が無い以上、単なる表現上の問題にすぎず、この点は実質的な相違点にならない。そして、「駆動部」、「電極パッド部」及び「ブリッジ部」とにより「アクチュエータ」が構成されるとすれば、引用発明においても、該「アクチュエータ」が「振動板にそれぞれ接合された」ものとなるのは当然の結果である。
　したがって、相違点に係る本願発明の構成は、引用例に記載された事項にすぎない。
　
５．まとめ
　
　以上のとおり、本願発明は、引用例に記載された発明であるから、特許法第２９条第１項第３号に該当し、特許を受けることができない。
　
第４　むすび
　
　本件補正は却下されなければならず、本願発明が特許を受けることができない以上、本願のその余の請求項に係る発明について検討するまでもなく、本願は拒絶を免れない。
　よって、結論のとおり審決する。